(57)【要約】  手乾燥装置（１）は、本体箱体（３）に着脱可能で、処理空間に挿入された手から吹き飛ばされた水を回収する水受け部（１１）と、赤外線を発する赤外線発光素子及び赤外線の受光量を示す信号を出力する赤外線受光素子を有する手検知センサ（１０）と、処理空間に手が挿入されているか否かを判断し、処理空間に手が挿入されている場合には高圧空気発生装置（４）を駆動する制御部（２０）と、を備え、制御部（２０）は、処理空間に手が挿入されているか否かの判定に用いる上限閾値を、手検知センサ（１０）から入力された信号が示す赤外線の受光量であるセンサ入力値を基にした基準値に基づいて定期的に更新し、センサ入力値が上限閾値以上である場合は、処理空間に手が挿入されていると判定し、センサ入力値が、本体箱体（３）に水受け部（１１）が装着されているか否かの判断に用いる下限閾値以下である場合は、上限閾値の更新を停止する。
2019102582.tif 000002
【特許請求の範囲】
【請求項１】
前面に凹状の手挿入部が設けられた本体箱体と、
前記本体箱体の内部に設置されて高圧空気を発生する高圧空気発生装置と、
前記高圧空気を高速空気流に変換して前記手挿入部内の処理空間に噴出するノズルと、
前記本体箱体に着脱可能で、前記手挿入部の内部の処理空間に挿入された手から前記高速空気流により吹き飛ばされた水を回収する水受け部と、
赤外線を発する赤外線発光素子及び赤外線の受光量を示す信号を出力する赤外線受光素子を有し、前記手挿入部の上方に設置された手検知センサと、
前記処理空間に手が挿入されているか否かを判断し、前記処理空間に手が挿入されている場合には前記高圧空気発生装置を駆動する制御部と、を備え、
前記制御部は、
前記処理空間に手が挿入されているか否かの判定に用いる赤外線の受光量の閾値である上限閾値を、前記手検知センサから入力された前記信号が示す赤外線の受光量であるセンサ入力値を基にした基準値に基づいて定期的に更新し、
前記センサ入力値が前記上限閾値以上である場合は、前記処理空間に手が挿入されていると判定し、
前記センサ入力値が、前記本体箱体に前記水受け部が装着されているか否かの判断に用いる赤外線の受光量の閾値である下限閾値以下である場合は、前記水受け部が前記本体箱体から取り外されていると判定し、前記上限閾値の更新を停止することを特徴とする手乾燥装置。
【請求項２】
前記制御部は、前記基準値に基づいて、前記下限閾値を定期的に更新し、
前記センサ入力値が前記下限閾値以下である場合は、前記下限閾値の更新を停止することを特徴とする請求項１に記載の手乾燥装置。
【請求項３】
前記制御部は、電源がオンされた時に前記水受け部が前記本体箱体から取り外されていた場合には、前記下限閾値を固定値に設定し、前記水受け部が前記本体箱体に取り付けられた後は、前記基準値を基に前記下限閾値を定期的に更新し、前記センサ入力値が下限閾値以下である場合は、前記下限閾値の更新を停止することを特徴とする請求項１に記載の手乾燥装置。
【請求項４】
前記制御部は、前記下限閾値を固定値にすることを特徴とする請求項１に記載の手乾燥装置。
【請求項５】
前記制御部は、電源がオンされた時に前記水受け部が前記本体箱体から取り外されていた場合には、前記上限閾値を固定値に設定することを特徴とする請求項１から４のいずれか１項に記載の手乾燥装置。
【請求項６】
前記制御部は過去の前記基準値を記憶し、電源がオンされた際には、記憶している過去の前記基準値を基に前記上限閾値及び前記下限閾値を設定することを特徴とする請求項１に記載の手乾燥装置。
【請求項７】
前記制御部は、電源がオンされた時に前記水受け部が前記本体箱体から取り外されていた場合には、記憶している過去の前記基準値に基づいて、前記上限閾値及び前記下限閾値を設定し、前記水受け部が前記本体箱体に取り付けられた後は、前記上限閾値及び前記下限閾値を、現在の前記基準値に基づいて定期的に更新することを特徴とする請求項１から６のいずれか１項に記載の手乾燥装置。
【請求項８】
前記制御部は、前記センサ入力値が前記下限閾値を一定期間下回った場合に、警報光を発する処理を行うことを特徴とする請求項１から７のいずれか１項に記載の手乾燥装置。
【請求項９】
前記制御部は、前記センサ入力値が前記下限閾値を一定期間下回った場合に、警報音を発する処理を行うことを特徴とする請求項１から７のいずれか１項に記載の手乾燥装置。
【請求項１０】
前記制御部は、前記センサ入力値が前記下限閾値を一定期間下回った場合に、前記高圧空気発生装置の運転強度を下げることを特徴とする請求項１から７のいずれか１項に記載の手乾燥装置。
【請求項１１】
前記制御部は、前記センサ入力値が前記下限閾値を一定期間下回った場合に、前記高圧空気発生装置の動作を停止することを特徴とする請求項１から７のいずれか１項に記載の手乾燥装置。
【発明の詳細な説明】
【技術分野】
【０００１】
本発明は、濡れた手に気流を吹き付けて乾かす手乾燥装置に関する。
【背景技術】
【０００２】
手を衛生的な状態に保全するには、手の洗浄処置だけではなく、洗浄後の乾燥処置も衛生的に行われる必要がある。洗浄後の手を衛生的に乾燥させるために、洗浄後の濡れた手を拭くタオル又はハンカチに代わって、手に高速空気流を噴射して、手に付着している水を吹き飛ばして手を乾燥する手乾燥装置が用いられている。【０００３】
手乾燥装置は、筐体に凹状の手挿入部が設けられており、手挿入部には、エアノズルの他、赤外線発光素子と赤外線受光素子により構成される手検知センサとが配設されている。手挿入部内の処理空間に手が挿入されたことを手検知センサにより検知すると、高圧空気発生装置が動作し、高圧空気が高速空気流に変換されて、エアノズルから噴射される。手挿入部から手が抜かれたことを手検知センサが検知すると、高圧空気発生装置が停止され、エアノズルからの高速空気流の噴出が停止する。【０００４】
赤外線発光素子と赤外線受光素子とにより構成される手検知センサは、赤外線発光素子の発光方向と赤外線受光素子の受光方向とが角度をもっており、赤外線発光素子から出る赤外線を手挿入部の下部の水受け部で反射させ、反射光を赤外線受光素子で受光している。手挿入部の検知範囲に手を挿入すると、水受け部よりも手検知センサの近くに位置する手で赤外線が反射されるようになり、赤外線受光素子における受光量が増加する。すなわち、手検知センサは、赤外線発光素子が発した光が水受け部で反射されている時よりも、赤外線受光素子での受光量が増加した場合に、手挿入部に挿入された手を検知可能である。手乾燥装置は、手挿入部に手が挿入されたことを手検知センサで検知すると、高圧空気発生装置が駆動される。【０００５】
特許文献１には、水受け部を取り外し可能とすることで、手乾燥装置本体及び水受け部の清掃を容易にした手乾燥装置が開示されている。
【先行技術文献】
【特許文献】
【０００６】
【特許文献１】特許第３９７０７６２号公報
【発明の概要】
【発明が解決しようとする課題】
【０００７】
特許文献１に開示される手乾燥装置は、取り外されていた水受け部が取り付けられた際に、水受け部での赤外線の反射により赤外線受光素子での受光量が増加するため、手挿入部に手が挿入されたと誤検知し、誤動作してしまうという課題があった。【０００８】
本発明は、上記に鑑みてなされたものであって、水受け部の着脱に起因して手挿入部に手が挿入されたと誤検知することを防止した手乾燥装置を得ることを目的とする。
【課題を解決するための手段】
【０００９】
上述した課題を解決し、目的を達成するために、本発明は、前面に凹状の手挿入部が設けられた本体箱体と、本体箱体の内部に設置されて高圧空気を発生する高圧空気発生装置と、高圧空気を高速空気流に変換して手挿入部内の処理空間に噴出するノズルと、本体箱体に着脱可能で、手挿入部の内部の処理空間に挿入された手から高速空気流により吹き飛ばされた水を回収する水受け部と、赤外線を発する赤外線発光素子及び赤外線の受光量を示す信号を出力する赤外線受光素子を有し、手挿入部の上方に設置された手検知センサと、処理空間に手が挿入されているか否かを判断し、処理空間に手が挿入されている場合には高圧空気発生装置を駆動する制御部と、を備える。制御部は、処理空間に手が挿入されているか否かの判定に用いる赤外線の受光量の閾値である上限閾値を、手検知センサから入力された信号が示す赤外線の受光量であるセンサ入力値を基にした基準値に基づいて定期的に更新し、センサ入力値が上限閾値以上である場合は、処理空間に手が挿入されていると判定し、センサ入力値が、本体箱体に水受け部が装着されているか否かの判断に用いる赤外線の受光量の閾値である下限閾値以下である場合は、水受け部が本体箱体から取り外されていると判定し、上限閾値の更新を停止する。
【発明の効果】
【００１０】
本発明に係る手乾燥装置は、水受け部の着脱に起因して手挿入部に手が挿入されたと誤検知することを防止できるという効果を奏する。
【図面の簡単な説明】
【００１１】
【図１】本発明の実施の形態１に係る手乾燥装置の縦断面図
【図２】実施の形態１に係る手乾燥装置の分解斜視図
【図３】実施の形態１に係る手乾燥装置の手検知判定の処理の流れを示すフローチャート
【図４】実施の形態１に係る手乾燥装置の手検知判定のタイムチャート
【図５】本発明の実施の形態２に係る手乾燥装置の手検知判定の処理の流れを示すフローチャート
【図６】実施の形態２に係る手乾燥装置の手検知判定のタイムチャート
【図７】実施の形態１から実施の形態４のいずれかに係る制御部の機能をハードウェアで実現した構成を示す図
【図８】実施の形態１から実施の形態４のいずれかに係る制御部の機能をソフトウェアで実現した構成を示す図
【発明を実施するための形態】
【００１２】
以下に、本発明の実施の形態に係る手乾燥装置を図面に基づいて詳細に説明する。なお、この実施の形態によりこの発明が限定されるものではない。
【００１３】
実施の形態１．
図１は、本発明の実施の形態１に係る手乾燥装置の縦断面図である。図２は、実施の形態１に係る手乾燥装置の分解斜視図である。実施の形態１に係る手乾燥装置１は、前面が開放された凹部である手挿入部２が形成された本体箱体３を有する。本体箱体３には、高圧空気発生装置４が組み込まれている。高圧空気発生装置４が発生させた高圧空気は、エアノズル５に供給される。エアノズル５から噴出する高速空気流によって、手挿入部２内の処理空間に挿入された手に付着している水分が吹き飛ばされる。
【００１４】
高圧空気発生装置４は、直流ブラシレスモータ又は整流子モータであるモータ７と、モータ７によって回転する不図示のターボファンとをユニット化して構成されている。
【００１５】
高圧空気発生装置４の吹出口には、高圧空気発生装置４から送られてくる高圧空気を高速空気流に変換して手挿入部２内の処理空間に吹き出すエアノズル５が接続されている。エアノズル５は、手挿入部２の手挿入口の上縁に形成された開口部に、噴出口を下向きにして組み付けられる。エアノズル５は、手挿入部２内の処理空間に挿入された手に高速空気流を吹き付け、手に付着している水滴を、手をすり合わせることなく手から剥離させて吹き飛ばす。
【００１６】
手挿入部２の上方に設けられた上顎部８のエアノズル５が設置された部分の後側には、透光部材が嵌められて窓９が形成されている。窓９内には手を検知する手検知センサ１０が配置されている。
【００１７】
手検知センサ１０は、赤外線を発する赤外線発光素子と、赤外線の受光量を示す信号を出力する赤外線受光素子とで構成される。手検知センサ１０は、上顎部８から水受け部１１に向かって発光するように赤外線発光素子が設置されている。手挿入部２内の処理空間に手が挿入されていない場合、赤外線受光素子は、赤外線発光素子から発せられて水受け部１１で反射された赤外線を受光し、赤外線の受光量を示す信号を制御部２０に出力する。以下、赤外線受光素子から制御部２０に入力される信号が示す受光量をセンサ入力値という。手挿入部２に手が挿入された場合は、赤外線発光素子から発光された光が手で反射され、センサ入力値が増加する。この時、手挿入部２内の処理空間に手が挿入されているか否かの判定に用いる赤外線の受光量の閾値である上限閾値をセンサ入力値が上回ると、手挿入部２内の処理空間に手が挿入されていると判定する。
【００１８】
センサ入力値は、太陽光又は照明による光の照射など、手乾燥装置１が設置された環境によって変動する。そのため、手乾燥装置１が設置された環境の影響を無視するために、手挿入部２内の処理空間に手が挿入されたことを検知する判定の閾値である上限閾値には、センサ入力値の平均値である基準値に第１の固定値を加えた値を設定している。上限閾値は、定期的に更新され、周囲環境の状況に合わせた閾値に設定される。上限閾値の更新周期は、６．４秒ごとを例示できるが、これに限定はされない。
【００１９】
また、上顎部８には、手挿入部２内の処理空間に手が挿入されているか否かを手検知センサ１０から入力される信号に基づいて判断し、処理空間に手が挿入されている場合には高圧空気発生装置４を駆動する制御部２０が設置されている。手挿入部２内の処理空間に手が挿入されたことを手検知センサ１０によって検知すると、制御部２０が高圧空気発生装置４を動作させ、手挿入部２内の処理空間に高速空気流を噴射し、手に付着している水分を吹き飛ばす。
【００２０】
手から吹き飛ばされた水分は、手挿入部２の下部の水受け部１１に回収される。水受け部１１には、ドレン容器１２に繋がる連絡路１１ａに通じる開口部１１ｂが設けられている。水受け部１１には、開口部１１ｂに向かって下がる勾配が付けられており、水受け部１１に付着した水は、開口部１１ｂから連絡路１１ａに流れ込み、連絡路１１ａを通じてドレン容器１２に溜められる。
【００２１】
図２に示すように、水受け部１１とドレン容器１２とは本体箱体３に着脱可能となっている。本体箱体３から水受け部１１及びドレン容器１２を取り外すことで、水受け部１１、ドレン容器１２及び本体箱体３の清掃を容易に行うことができる。
【００２２】
制御部２０には、本体箱体３に水受け部１１が装着されているか否かの判断に用いる赤外線の受光量の閾値である下限閾値が設定されている。下限閾値は、上限閾値と同様に、周囲環境の影響を無視するために、基準値から第２の固定値を減じた値に設定される。下限閾値は、定期的に更新され、周囲環境の状況に合わせた閾値に設定される。下限閾値の更新周期は、６．４秒ごとを例示できるが、これに限定はされない。
【００２３】
図３は、実施の形態１に係る手乾燥装置の手検知判定の処理の流れを示すフローチャートである。電源がオンされると、手検知判定処理が開始される。ステップＳ１において、制御部２０は、基準値を更新する。ステップＳ２において、制御部２０は、上限閾値及び下限閾値を設定する。制御部２０は、基準値に第１の固定値を加えた値を上限閾値に設定し、基準値から第２の固定値を減じた値を下限閾値に設定する。ステップＳ３において、制御部２０は、上限閾値及び下限閾値を設定してから第１の設定時間が経過したか否かを判断する。上限閾値及び下限閾値を更新してから第１の設定時間が経過していなければ、ステップＳ４に進む。上限閾値及び下限閾値を更新してから第１の設定時間が経過していれば、ステップＳ６に進む。
【００２４】
ステップＳ６において、制御部２０は、水受け部１１が本体箱体３に取り付けられているかを判定する。センサ入力値が下限閾値以上であれば、ステップＳ６でＹｅｓとなり、制御部２０は水受け部１１が本体箱体３に取り付けられていると判定し、ステップＳ１に進む。センサ入力値が下限閾値を下回っていた場合は、ステップＳ６でＮｏとなり、制御部２０は水受け部１１が本体箱体３に取り付けられていないと判定し、ステップＳ４に進む。
【００２５】
ステップＳ４において、制御部２０は、手挿入部２内の処理空間に手が挿入されているか否かを判定する。センサ入力値が上限閾値を下回っていた場合、制御部２０は、手挿入部２内の処理空間に手が挿入されていないと判定し、ステップＳ３に戻る。センサ入力値が上限閾値以上であれば、制御部２０は、手挿入部２内の処理空間に手が挿入されていると判定し、ステップＳ５に進む。ステップＳ５において、制御部２０は、モータ７を一定時間駆動し、ステップＳ３に進む。
【００２６】
図４は、実施の形態１に係る手乾燥装置の手検知判定のタイムチャートである。図４には、上限閾値の変化を太線の破線で示し、下限閾値の変化を一点鎖線で示し、センサ入力値を実線で示している。時刻ｔ０，ｔ１，ｔ２，ｔ３，ｔ４，ｔ５，ｔ６，ｔ７，ｔ８，ｔ９，ｔ１０の時間間隔は、上限閾値及び下限閾値の更新周期である。時刻ｔ１において、制御部２０は、基準値を更新し、さらに上限閾値及び下限閾値も更新する。時刻ｔ１ａにおいて、水受け部１１が本体箱体３から取り外され、センサ入力値が下限閾値を下回る。時刻ｔ２，ｔ３において、センサ入力値が下限閾値を下回っているため、制御部２０は、基準値を更新するが、上限閾値及び下限閾値は更新しない。時刻ｔ３ａにおいて、センサ入力値が上限閾値以上となるため、制御部２０は、モータ７を駆動する。時刻ｔ４，ｔ５において、センサ入力値が下限閾値を下回っているため、制御部２０は、基準値を更新するが、上限閾値及び下限閾値は更新しない。時刻ｔ５ａにおいて、水受け部１１が本体箱体３に取り付けられ、センサ入力値が下限閾値以上となる。時刻ｔ６，ｔ７，ｔ８，ｔ９，ｔ１０において、制御部２０は、基準値を更新し、さらに上限閾値及び下限閾値を更新する。
【００２７】
図４には、下限閾値を設定しない手乾燥装置における上限閾値の変化も細線の破線で示している。下限閾値を設定しない手乾燥装置は、時刻ｔ１ａにおいて水受け部が本体箱体から取り外された後、時刻ｔ２，ｔ３，ｔ４，ｔ５において、水受け部が本体箱体から取り外された状態でのセンサ入力値に基づいて基準値を更新し、上限閾値を更新する。したがって、時刻ｔ５ａにおいて水受け部が本体箱体に取り付けられると、センサ入力値が上限閾値以上となって、時刻ｔ６において高圧空気発生装置のモータが駆動される。すなわち、本体箱体から取り外されていた水受け部を本体箱体に取り付けると、手挿入部内の処理空間に手が挿入されていると誤検知してしまう。
【００２８】
実施の形態１に係る手乾燥装置１において、制御部２０は、センサ入力値が下限閾値を下回った場合に、水受け部１１が本体箱体３から取り外されていると判定し、上限閾値及び下限閾値の更新を停止する。また、実施の形態１に係る手乾燥装置１において、制御部２０は、上限閾値及び下限閾値を更新する時点でセンサ入力値が下限閾値以上となっていれば、上限閾値及び下限閾値の更新を再開する。したがって、実施の形態１に係る手乾燥装置１は、水受け部１１が本体箱体３から取り外されている間は上限閾値が更新されないため、本体箱体３から取り外されている水受け部１１を本体箱体３に取り付けてもセンサ入力値が上限閾値以上とはならない。したがって、実施の形態１に係る手乾燥装置１は、水受け部１１を本体箱体３に取り付ける際のセンサ入力値増加によって、手挿入部２内の処理空間に手が挿入されていると誤判定することを防ぐことができる。
【００２９】
なお、制御部２０は、センサ入力値が下限閾値を一定期間下回った場合に、警報光及び警報音の少なくとも一方を発する処理を行って、水受け部１１が装着されていないことをユーザに報知してもよい。水受け部１１が装着されていない状態のときに警報光又は警報音を発することにより、水受け部１１が脱落してしまった場合に、再装着をユーザに促すことができる。また、制御部２０は、センサ入力値が下限閾値を一定期間下回った場合に、高圧空気発生装置４の運転強度を下げるか、動作を停止させてもよい。水受け部１１が装着されていない状態のときに高圧空気発生装置４の運転強度を下げるか、動作を停止させることにより、水受け部１１が装着されていない状態で手から吹き飛ばされる水の量を低減し、床面に水が飛散しにくくできる。
【００３０】
実施の形態２．
本発明の実施の形態２に係る手乾燥装置１の構成は、実施の形態１に係る手乾燥装置１と同様である。実施の形態２に係る手乾燥装置１は、基準値に関係なく下限閾値を第３の固定値に固定する。また、実施の形態２に係る手乾燥装置１では、電源をオンした時に水受け部１１が外れていると、センサ入力値が下限閾値を下回るため、制御部２０は、水受け部１１が本体箱体３から取り外されていると判定する。この時、制御部２０は、基準値に関係なく上限閾値を第４の固定値に設定する。
【００３１】
図５は、実施の形態２に係る手乾燥装置の手検知判定の処理の流れを示すフローチャートである。電源がオンされると、ステップＳ１１において、制御部２０は、水受け部１１が本体箱体３に取り付けられているか否かを判定する。センサ入力値が下限閾値である第３の固定値以上であれば、制御部２０は、水受け部１１が本体箱体３に取り付けられていると判定し、ステップＳ１２に進む。ステップＳ１２において、制御部２０は、基準値を更新する。ステップＳ１３において、制御部２０は、上限閾値を基準値に第１の固定値を加えた値に設定し、ステップＳ１５に進む。
【００３２】
ステップＳ１１において、センサ入力値が下限閾値である第３の固定値を下回っていた場合は、制御部２０は、水受け部１１が本体箱体３に取り付けられていないと判定し、ステップＳ１４に進む。ステップＳ１４において、制御部２０は、上限閾値を第４の固定値に設定し、ステップＳ１５に進む。
【００３３】
ステップＳ１５において、制御部２０は、上限閾値を設定してから第１の設定時間経過したか否かを判断する。閾値を設定してから第１の設定時間経過した場合、ステップＳ１６に進む。ステップＳ１６において、制御部２０は、水受け部１１が本体箱体３に取り付けられているか否かを判定する。センサ入力値が下限閾値以上であれば、制御部２０は、水受け部１１が本体箱体３に取り付けられていると判定し、ステップＳ１７に進む。ステップＳ１７において、制御部２０は、基準値を更新する。ステップＳ１８において、制御部２０は、上限閾値を更新し、ステップＳ１５に進む。上限閾値は、基準値に第１の固定値を加えた値に設定される。ステップＳ１６において、センサ入力値が下限閾値を下回っていた場合は、制御部２０は、水受け部１１が本体箱体３に取り付けられていないと判断し、ステップＳ１９に進む。また、ステップＳ１５において、上限閾値を設定してから第１の設定時間が経過していなければ、ステップＳ１９に進み、制御部２０は、手検知判定を行う。センサ入力値が上限閾値を下回っていた場合は、制御部２０は、手挿入部２内の処理空間に手が挿入されていないと判定し、ステップＳ１５に戻る。センサ入力値が上限閾値を上回っていれば、制御部２０は、手挿入部２内の処理空間に手が挿入されていると判定し、ステップＳ２０にてモータ７を一定時間駆動し、ステップＳ１５に進む。
【００３４】
上記の手順により、電源をオンした時点で水受け部１１が装着されているか否かを判断できる。また、電源をオンした後で水受け部１１が装着された場合でも、手挿入部２内の処理空間に手が挿入されたと誤判定することを防止できる。
【００３５】
図６は、実施の形態２に係る手乾燥装置の手検知判定のタイムチャートである。図６には、上限閾値の変化を太線の破線で示し、下限閾値の変化を太線の一点鎖線で示し、センサ入力値を実線で示している。時刻ｔ０，ｔ１，ｔ２，ｔ３，ｔ４，ｔ５，ｔ６，ｔ７の時間間隔は、上限閾値の更新周期である。時刻ｔ０において、電源がオンされるが、センサ入力値が下限閾値を下回るため、上限閾値を第４の固定値に設定する。時刻ｔ１，ｔ２において、制御部２０は、基準値を更新するが、上限閾値は更新しない。時刻ｔ２ａにおいて、水受け部１１が本体箱体３に取り付けられると、センサ入力値は下限閾値を上回る。時刻ｔ３，ｔ４，ｔ５において、制御部２０は、基準値を更新し、さらに上限閾値を更新する。時刻ｔ５ａにおいて、水受け部１１が本体箱体３から取り外され、センサ入力値が下限閾値を下回る。時刻ｔ６，ｔ７において、センサ入力値が下限閾値を下回っているため、制御部２０は、基準値を更新するが、上限閾値は更新しない。
【００３６】
図６には、実施の形態１に係る手乾燥装置１における上限閾値の変化を細線の破線で示し、下限閾値の変化を細線の一点鎖線で示している。実施の形態１に係る手乾燥装置１では、時刻ｔ０において電源をオンした時に制御部２０は、上限閾値及び下限閾値を基準値に基づいた値に設定する。したがって、実施の形態１に係る手乾燥装置１は、水受け部１１が外れている時刻ｔ０，ｔ１，ｔ２においては、水受け部１１が本体箱体３に取り付けられている時刻ｔ３，ｔ４，ｔ５よりも基準値が小さくなり、上限閾値及び下限閾値は、水受け部１１が本体箱体３に取り付けられている時刻ｔ３，ｔ４，ｔ５よりも小さい値に設定される。水受け部１１が本体箱体３に取り付けられる時刻ｔ２ａにおいて、上限閾値及び下限閾値は、水受け部１１が本体箱体３に取り付けられている時刻ｔ３，ｔ４，ｔ５よりも上限閾値及び下限閾値が小さい値に設定されており、水受け部１１が本体箱体３に取り付けられると、センサ入力値が上限閾値を上回るため、時刻ｔ３において、制御部２０は、手挿入部２内の処理空間に手が挿入されていると誤検知してしまう。
【００３７】
実施の形態２に係る手乾燥装置１は、上限閾値が第４の固定値に設定されている状態で水受け部１１が本体箱体３に取り付けられてもセンサ入力値が上限閾値を下回るため、制御部２０は、手挿入部２内の処理空間に手が挿入されていると誤検知することはない。水受け部１１が本体箱体３に取り付けられると、センサ入力値が下限閾値を上回るため、制御部２０は上限閾値の更新を開始し、水受け部１１が本体箱体３に取り付けられているか否かの判定を行うことができるようになる。
【００３８】
実施の形態３．
本発明の実施の形態３に係る手乾燥装置の構成は実施の形態２と同様である。実施の形態３に係る手乾燥装置は、下限閾値を第３の固定値にするのは電源をオンした時だけであり、電源をオンした際に下限閾値を下回っていたセンサ入力値が電源をオンした後で初めて下限閾値以上となったら、下限閾値は基準値から第２の固定値を減じた値に設定する。
【００３９】
実施の形態３に係る手乾燥装置は、電源をオンした時に水受け部１１が装着されているか否かを判定できる。電源をオンした時に水受け部１１が本体箱体３から取り外されていて、後に水受け部１１が本体箱体３に取り付けられても、手挿入部２内の処理空間に手が挿入されていると誤判定することを防ぐことができる。また、電源をオンした時には本体箱体３から取り外されていた水受け部１１が後から本体箱体３に取り付けられた場合には、下限閾値は基準値を基に算出した値に更新されるため、周囲環境の影響を考慮して、水受け部１１が本体箱体３に取り付けられているか否かの判定の精度を高めることができる。
【００４０】
実施の形態４．
本発明の実施の形態４に係る手乾燥装置の構成は実施の形態２と同様である。実施の形態４に係る手乾燥装置において、制御部２０は、基準値を不揮発に記憶しており、電源をオンした際には、上限閾値及び下限閾値は、記憶済の基準値を基に算出した値に設定する。
【００４１】
制御部２０が不揮発に記憶する基準値は、前回電源がオンされており、かつ水受け部１１が本体箱体３に取り付けられていた状態での基準値の平均値を例示できる。なお、制御部２０が不揮発に記憶する基準値は、前回電源がオンされており、かつ水受け部１１が本体箱体３に取り付けられていた状態での基準値の中央値であってもよい。
【００４２】
実施の形態４に係る手乾燥装置は、電源をオンした時の上限閾値及び下限閾値の設定に、不揮発に記憶した基準値の平均値を使用するため、電源をオンした際の上限閾値及び下限閾値に固定値を設定するよりも精度の高い閾値設定が可能となる。
【００４３】
上記実施の形態１から実施の形態４の制御部２０の機能は、処理回路により実現される。処理回路は、専用のハードウェアであっても、記憶装置に格納されるプログラムを実行する演算装置であってもよい。
【００４４】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図７は、実施の形態１から実施の形態４のいずれかに係る制御部の機能をハードウェアで実現した構成を示す図である。処理回路２９には、制御部２０の機能を実現する論理回路２９ａが組み込まれている。
【００４５】
処理回路２９が演算装置の場合、制御部２０の機能は、ソフトウェア、ファームウェア、又はソフトウェアとファームウェアとの組み合わせにより実現される。
【００４６】
図８は、実施の形態１から実施の形態４のいずれかに係る制御部の機能をソフトウェアで実現した構成を示す図である。処理回路２９は、プログラム２９ｂを実行する演算装置２９１と、演算装置２９１がワークエリアに用いるランダムアクセスメモリ２９２と、プログラム２９ｂを記憶する記憶装置２９３を有する。記憶装置２９３に記憶されているプログラム２９ｂを演算装置２９１がランダムアクセスメモリ２９２上に展開し、実行することにより、制御部２０の機能が実現される。ソフトウェア又はファームウェアはプログラム言語で記述され、記憶装置２９３に格納される。演算装置２９１は、中央処理装置を例示できるがこれに限定はされない。
【００４７】
処理回路２９は、記憶装置２９３に記憶されたプログラム２９ｂを読み出して実行することにより、制御部２０の機能を実現する。プログラム２９ｂは、制御部２０の機能を実現する手順及び方法をコンピュータに実行させるものであるとも言える。
【００４８】
なお、処理回路２９は、一部を専用のハードウェアで実現し、一部をソフトウェア又はファームウェアで実現するようにしてもよい。
【００４９】
このように、処理回路２９は、ハードウェア、ソフトウェア、ファームウェア、又はこれらの組み合わせによって、上述の各機能を実現することができる。
【００５０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５１】
１  手乾燥装置、２  手挿入部、３  本体箱体、４  高圧空気発生装置、５  エアノズル、７  モータ、８  上顎部、９  窓、１０  手検知センサ、１１  水受け部、１１ａ  連絡路、１１ｂ  開口部、１２  ドレン容器、２０  制御部、２９  処理回路、２９ａ  論理回路、２９ｂ  プログラム、２９１  演算装置、２９２  ランダムアクセスメモリ、２９３  記憶装置。
【図１】
2019102582.tif 000003
【図２】
2019102582.tif 000004
【図３】
2019102582.tif 000005
【図４】
2019102582.tif 000006
【図５】
2019102582.tif 000007
【図６】
2019102582.tif 000008
【図７】
2019102582.tif 000009
【図８】
2019102582.tif 000010
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
手挿入部が設けられた本体箱体と、
前記本体箱体の内部に設置されて高圧空気を発生する高圧空気発生装置と、
前記高圧空気を空気流に変換して前記手挿入部内の処理空間に噴出するノズルと、
前記本体箱体に着脱可能で、前記手挿入部の内部の処理空間に挿入された手から前記空気流により吹き飛ばされた水を回収する水受け部と、
赤外線を発する赤外線発光素子及び赤外線の受光量を示す信号を出力する赤外線受光素子を有し、前記手挿入部に設置された手検知センサと、
前記処理空間に手が挿入されているか否かを判断し、前記処理空間に手が挿入されている場合には前記高圧空気発生装置を駆動する制御部と、を備え、
前記制御部は、
前記処理空間に手が挿入されているか否かの判定に用いる赤外線の受光量の閾値である上限閾値を、前記手検知センサから入力された前記信号が示す赤外線の受光量であるセンサ入力値に基づいて更新し、
前記センサ入力値が前記上限閾値以上である場合は、前記処理空間に手が挿入されていると判定し、
前記センサ入力値が、前記本体箱体に前記水受け部が装着されているか否かの判断に用いる赤外線の受光量の閾値である下限閾値以下である場合は、前記上限閾値の更新を停止することを特徴とする手乾燥装置。
【請求項２】
前記制御部は、前記センサ入力値に基づいて、前記下限閾値を定期的に更新し、
前記センサ入力値が前記下限閾値以下である場合は、前記下限閾値の更新を停止することを特徴とする請求項１に記載の手乾燥装置。
【請求項３】
前記制御部は、電源がオンされた時に前記水受け部が前記本体箱体から取り外されていた場合には、前記下限閾値を固定値に設定し、前記水受け部が前記本体箱体に取り付けられた後は、前記センサ入力値を基に前記下限閾値を定期的に更新し、前記センサ入力値が下限閾値以下である場合は、前記下限閾値の更新を停止することを特徴とする請求項１に記載の手乾燥装置。
【請求項４】
前記制御部は、前記下限閾値を固定値にすることを特徴とする請求項１に記載の手乾燥装置。
【請求項５】
前記制御部は、電源がオンされた時に前記水受け部が前記本体箱体から取り外されていた場合には、前記上限閾値を固定値に設定することを特徴とする請求項１から４のいずれか１項に記載の手乾燥装置。
【請求項６】
前記制御部は過去の前記センサ入力値を記憶し、電源がオンされた際には、記憶している過去の前記センサ入力値を基に前記上限閾値及び前記下限閾値を設定することを特徴とする請求項１に記載の手乾燥装置。
【請求項７】
前記制御部は、電源がオンされた時に前記水受け部が前記本体箱体から取り外されていた場合には、記憶している過去の前記センサ入力値に基づいて、前記上限閾値及び前記下限閾値を設定し、前記水受け部が前記本体箱体に取り付けられた後は、前記上限閾値及び前記下限閾値を、現在の前記センサ入力値に基づいて定期的に更新することを特徴とする請求項１から６のいずれか１項に記載の手乾燥装置。
【請求項８】
前記制御部は、前記センサ入力値が前記下限閾値を一定期間下回った場合に、警報光を発する処理を行うことを特徴とする請求項１から７のいずれか１項に記載の手乾燥装置。
【請求項９】
前記制御部は、前記センサ入力値が前記下限閾値を一定期間下回った場合に、警報音を発する処理を行うことを特徴とする請求項１から７のいずれか１項に記載の手乾燥装置。
【請求項１０】
前記制御部は、前記センサ入力値が前記下限閾値を一定期間下回った場合に、前記高圧空気発生装置の運転強度を下げることを特徴とする請求項１から７のいずれか１項に記載の手乾燥装置。
【請求項１１】
前記制御部は、前記センサ入力値が前記下限閾値を一定期間下回った場合に、前記高圧空気発生装置の動作を停止することを特徴とする請求項１から７のいずれか１項に記載の手乾燥装置。
【国際調査報告】
2019102582.tif 000011
2019102582.tif 000012
2019102582.tif 000013
2019102582.tif 000014